(57)【要約】【課題】感度が十分に高く、耐久性にも優れた静電容量変化型住宅設備を提供する。【解決手段】浴室の壁パネル４１に、シャワーヘッドを掛けるためのシャワーハンガ４０が取り付けられている。壁パネル４１に穿孔された取付孔４２にシャワーハンガ４０の脚ボルト４３が挿通され、座金４５を介してナット４４を締め込むことによりシャワーハンガ４０が固定されている。この座金４５がハーネス４６を介して検知回路の電圧比較器１６の比較電圧入力端子２０に接続されている。シャワーハンガ４０とアース３０との間に仮想的なコンデンサ３２が存在する。人がシャワーハンガ４０に接触するか近づくことにより、この仮想的なコンデンサ３２の静電容量が変化し、スイッチ信号が比較出力として出力される。【選択図】図５
2006132196.tif 000002
【特許請求の範囲】
【請求項１】
導電性を有する住宅設備部材を静電センサの電極として用いていることを特徴とする住宅設備。
【請求項２】
請求項１において、該住宅設備部材はドア用部材又は窓用部材であることを特徴とする住宅設備。
【請求項３】
請求項１又は２において、該住宅設備部材は吐水用部材又は吐水用部材の支持部材であることを特徴とする住宅設備。
【請求項４】
請求項１において、該住宅設備部材は金属製のシャワーハンガであることを特徴とする住宅設備。
【請求項５】
請求項１において、該住宅設備部材は、ドアに設けられた導電性材料製の把手であることを特徴とする住宅設備。
【請求項６】
２枚のガラス板を対面配置したペアガラスよりなる住宅設備において、該ペアガラスの内面に静電センサの電極が設けられていることを特徴とする住宅設備。
【請求項７】
住宅の壁又は床を構成するためのパネルを備えてなる住宅設備であって、
該パネルの前面に導電層が設けられ、裏面に静電センサの電極が設けられ、
該導電層の前面側に非導電体が設置されていることを特徴とする住宅設備。
【発明の詳細な説明】
【技術分野】
【０００１】
本発明は、静電容量の変化を検知してスイッチ動作させるための電極を備えた住宅設備に関する。
【背景技術】
【０００２】
スイッチ機能を備えた住宅設備部材として、特開２００４−１４０６３７号には、浴室等の壁面のタイル（陶磁器板）の裏側に静電容量センサを配置したワイヤレスリモコン装置が記載されている。タイルに指を近づけると静電容量センサの静電容量が変化し、スイッチ動作させることができる。
【０００３】
特開２００４−１６４８９３号には、洗面化粧台等に用いられるミラーの裏側に静電センサを設け、手の接近・離反によって防曇ヒータ等をＯＮ・ＯＦＦさせることが記載されている。
【特許文献１】特開２００４−１４０６３７号
【特許文献２】特開２００４−１６４８９３号
【発明の開示】
【発明が解決しようとする課題】
【０００４】
上記特開２００４−１４０６３７号、特開２００４−１６４８９３号のようにタイルや表面材の裏側に静電容量センサや静電容量変化型コンデンサを配置した場合、人の指先が接近してもセンサ又はコンデンサと指先との間にはタイルや表面材等の厚み分の距離が存在するため、センサ感度が不十分になるおそれがある。
【０００５】
本発明は、感度が十分に高く、耐久性にも優れた静電容量変化型住宅設備部材を提供することを目的とする。
【０００６】
また、本発明は、両側からスイッチ操作することができるペアガラスを提供することを目的とする。
【課題を解決するための手段】
【０００７】
請求項１の住宅設備は、導電性を有する住宅設備部材を静電センサの電極として用いていることを特徴とするものである。
【０００８】
請求項２の住宅設備は、請求項１において、該住宅設備部材はドア用部材又は窓用部材であることを特徴とするものである。
【０００９】
請求項３の住宅設備は、請求項１又は２において、該住宅設備部材は吐水用部材又は吐水用部材の支持部材であることを特徴とするものである。
【００１０】
請求項４の住宅設備は、請求項１において、該住宅設備部材は金属製のシャワーハンガであることを特徴とするものである。
【００１１】
請求項５の住宅設備は、請求項１において、該住宅設備部材は、ドアに設けられた導電性材料製の把手であることを特徴とするものである。
【００１２】
請求項６の住宅設備は、２枚のガラス板を対面配置したペアガラスよりなる住宅設備において、該ペアガラスの内面に静電センサの電極が設けられていることを特徴とするものである。
【００１３】
請求項７の住宅設備は、住宅の壁又は床を構成するためのパネルを備えてなる住宅設備であって、該パネルの前面に導電層が設けられ、裏面に静電センサの電極が設けられ、該導電層の前面側に非導電体が設置されていることを特徴とするものである。
【００１４】
この非導電体としては、タイルや、金属よりなる反射層を部分的に削ったミラーなどが例示される。
【発明の効果】
【００１５】
請求項１の住宅設備にあっては、住宅設備部材の外面の導体部分に触れたり接近したりすることが静電センサによって検知される。この導体部分が外面に露呈しているので、検知精度が高い。また、住宅設備部材の少なくとも一部を構成する導体を電極として利用するので、電極をわざわざ設けることが不要である。
【００１６】
請求項２〜４の住宅設備は、水がかかるような部分で用いる場合でも、あらかじめ水がかかることを設定され防水されている部材を電極として用いるため、改めて防水加工する必要がない。
【００１７】
請求項２〜５の通り、この住宅設備としては、ドア部材、窓部材、吐水部材、吐水部材の支援部材が例示される。より具体的には、ドアの金属製の把手やヒンジ、金属製のシャワーハンガ、ドア板、部屋を構築するパネルなどが例示される。
【００１８】
請求項６の住宅設備としてのペアガラスは、その内部に静電センサの電極が設けられているので、ペアガラスのいずれの側から電極に指などを近づけてもこれを検知することができる。
【００１９】
請求項７の住宅設備にあっては、パネルの前面に導電層が存在しているので、パネルの前面に指を近づけたときに該電極の静電容量を大きく変化させることができ、検知精度が高くなる。
【００２０】
なお、この導電層を導電性接着剤で構成する場合には、金属板や金属箔などが不要である。
【発明を実施するための最良の形態】
【００２１】
以下、図面を参照して実施の形態について説明する。図１は請求項７の実施の形態に係る住宅設備の断面図、図２は静電容量センサとしてのスイッチ装置の回路図である。
【００２２】
図１の通り、珪酸カルシウム板、ＧＲＣボード等の板状基材１の前面に弾性接着剤２を介して陶磁器製のタイル３が張り付けられると共に、導電性接着剤２ａを介して陶磁器製のタイル３’が張り付けられている。
【００２３】
タイル３’の後方の基材１の裏面には金属箔や金属板を貼着することにより裏側電極２２が形成されている。
【００２４】
人が３’に手を近づけたり触れると、導電性接着剤２ａと人体との静電容量が変化し、スイッチ信号として取り出すことが可能となる。
【００２５】
この静電容量の変化からスイッチ信号を出力する回路の一例（特開平５−２９１９２７号にて公知。）を図２に示す。
【００２６】
この回路は、１次側が交流商用電源１０に接続された変圧器１２と、該変圧器１２の２次側に接続されており、一方の出力端子電圧が他方の出力端子電圧よりも常に一定電圧だけ高くなるように整流する整流定電圧器１４と、該整流定電圧器１４の出力電圧が基準電圧として入力されている電圧比較器１６と、該整流定電圧器１４の一方の出力端子１４ａと該電圧比較器１６の比較電圧入力端子２０との間に設けられた第１の抵抗１８と、該比較電圧入力端子２０に接続された前記電極２２と、前記整流定電圧器１４の他方の出力端子１４ｂと建物アース３０との間に設けられた第２の抵抗２４とを備えてなる。
【００２７】
第１の抵抗１８と並列に復帰時間調整用コンデンサ２６が設けられ、また電圧比較器１６の比較電圧入力端子２０と整流定電圧器１４の出力端子１４ｂとの間に感度調整用コンデンサ２８が設けられている。
【００２８】
この電極２２と対面配置された導電性接着剤２ａによってコンデンサが構成され、この導電性接着剤２ａと建物アース３０との間に静電容量（２点鎖線により仮想的に示されたコンデンサ３２）が存在する。タイル３’に人が触れることにより、この静電容量が変化する。これにより、電圧比較器１６の比較出力が変化し、タイル３’に人が触れたことが検知される。
【００２９】
なお、人がタイル３’に指先を近づけることによっても比較出力が変化する。
【００３０】
上記の導電性接着剤としては、通常のタイル張り用接着剤に導電性微粒子を配合したものが用いられる。導電性微粒子としては、Ｎｉ，Ｃｕ，Ａｌ，Ｗ，Ａｇ，Ａｕ，Ｐｔなどが挙げられる。
【００３１】
図１ではタイル３’を張り付ける導電性接着剤２ａを人体を検出する静電センサの電極としているが、図３のようにタイル３’の裏側の基材１の前面に金属板、金属箔などよりなる電極６を設けてもよい。電極６はタイル３’の裏面に設けられてもよい。これらの構成においても、タイル３’に指を近づけるか接触させることにより、電極６，２２間の静電容量が変化し、スイッチ信号として取り出すことが可能となる。
【００３２】
上記実施の形態ではタイル張りしているが、図４のように基材１の前面にミラー５を設置した場合、図のＳで示す領域においてミラー５の裏面の反射層（金属層）の一部を除去するように加工し、この加工した部分に電極６を設け、その後方の基材１の後面に電極２２を設けておくことが好ましい。ミラー５には、電極６の存在位置を示す表示を設けておくのが好ましい。この表示位置付近に指を近づけるか又は触ることにより、電極６，２２間の静電容量が変化し、スイッチ信号として取り出すことが可能となる。
【００３３】
図５は請求項１，４の実施の形態を示す断面図、図６はその回路図である。
【００３４】
浴室の壁パネル４１に、シャワーヘッド（図示略）を掛けるためのシャワーハンガ４０が取り付けられている。この実施の形態では、該壁パネル４１に穿孔された取付孔４２にシャワーハンガ４０の脚ボルト４３が挿通され、座金４５を介してナット４４を締め込むことによりシャワーハンガ４０が固定されている。
【００３５】
この座金４５がハーネス４６を介して検知回路（図６）の電圧比較器１６の比較電圧入力端子２０に接続されている。図６の回路は、図２において電極６を省略し、且つ電極２２の代わりにシャワーハンガ４０を設けたものであり、それ以外は図２と同一である。このシャワーハンガ４０とアース３０との間に仮想的なコンデンサ３２が存在する。
【００３６】
人がシャワーハンガ４０に接触するか近づくことにより、この仮想的なコンデンサ３２の静電容量が変化し、スイッチ信号が比較出力として出力される。
【００３７】
図５はシャワーハンガに関するものであるが、水栓や水栓支持部材が合成樹脂などの非導電性材料よりなる場合、この水栓や水栓支持部材に導体を設け（請求項３の実施の形態）、この導体に手を触れたり近づけたりすることによりスイッチ信号を出力させるよう構成してもよい。
【００３８】
図７は請求項１，２の実施の形態に係る窓開口の縁部を示す断面図である。建物躯体壁５０は、内装板５１、外装用下地板５２、該外装用下地板５２の外面に張り付けられたタイル５３等にて構成されている。この躯体壁５０に設けられた窓開口５４の縁部がアルミサッシ５４にて構成されている。下地板５２の裏側には、該アルミサッシ５５と対面するようにして電極５６が設けられている。
【００３９】
この電極５６がハーネス５７を介して検知回路の比較電圧入力端子２０（図２参照）に接続されている。この検知回路は、図２の符号２２を５６に置換し、符号６を５５に置換したものと同一である。
【００４０】
アルミサッシ５５に身体を触れたり近づけたりすることにより、スイッチ信号が出力され、窓の開閉やルーバー窓の開閉を行うことができる。
【００４１】
図８は請求項１，５の実施の形態に係る住宅設備を示す斜視図である。
【００４２】
ドア開口７０にドア７１が金属などの導電性材料よりなるヒンジ７２によって回動自在に設置されている。このドア７１に、金属などの導電性材料よりなる把手７３が設けられている。
【００４３】
この把手７３がハーネス７４を介してヒンジ７２のドア側に接続されている。ヒンジ７２の壁側はハーネス７５を介して検知回路（図示略）の比較電圧入力端子２０（図６参照）に入力されている。この検知回路は、図６において符号４０を符号７３に置換したものに相当する。この把手７３がタッチ用電極として機能しており、該把手７３に手を触れるか近づけることにより、スイッチ信号が出力される。これにより、例えば、室内の照明を点灯させることができる。
【００４４】
図８では、把手７３が電極として機能しているが、図９のようにドア７１の内部に電極板７７を設け、該電極板７７をヒンジ７２とハーネス７４で導通してもよい。
【００４５】
この電極板７７に身体を近づけることにより、スイッチ信号が出力される。図８では電極板７７をドア内部に設けているが、ドアの外面に電極を設けてもよい。
【００４６】
ドアの電極７７及びハーネス７４を省略し、ヒンジ７２そのものをタッチ用電極としてもよい。この場合、ハーネス７５が接続されたヒンジ７２に触れたり手を近づけたりすることによりスイッチ信号が出力される。なお、上記図８，９の実施の形態においても、ハーネス７５が接続されたヒンジ７２に触れたり手を近づけたりすることによりスイッチ信号が出力される。
【００４７】
図１０（ａ）は請求項６の実施の形態に係るペアガラスを示す正面図、同（ｂ）は同（ａ）のＢ−Ｂ線断面図である。
【００４８】
このペアガラス８０は、１対のガラス板８１，８１をスペーサ８２を介して対置させ、ガラス板８１，８１間のスペースに乾燥剤（図示略）を配置したものである。一方のガラス板８１の裏面に電極８３（この実施の形態ではＩＴＯなどの透明導電性酸化物薄膜よりなる。）が設けられ、ハーネス８４を介して検知回路（図示略）の入力電圧接続端子２０（図６参照）に接続されている。この検知回路は、図６において符号４０を８３に置換したものに相当する。
【００４９】
この電極８３に手などを近づけることによりスイッチ信号が出力される。なお、ガラス板８１，８１の間隔は小さいので、電極８３に対しペアガラス８０のいずれの側から手などを近づけてもスイッチ信号を出力することができる。
【００５０】
上記実施の形態はいずれも本発明の一例であり、本発明は図示以外の構成とされてもよい。
【００５１】
次に参考例について説明する。
【００５２】
図１１は、浴室などに設置される照明９１のカバー９２の裏側に電極９３を設け、この電極９３をハーネス９４を介して検知回路の比較電圧入力端子に導通したものである。カバー９２の表側から電極９３に手などを近づけることによりスイッチ信号を出力することができる。このスイッチ信号によって照明の点灯や照度調節などが可能である。なお、図１１において、照明９１は壁９０に設けられている。ハーネス９４及び照明灯９５用の電線９６は、孔９７を通って壁裏に引き出されている。
【図面の簡単な説明】
【００５３】
【図１】実施の形態に係る住宅設備の断面図である。
【図２】静電容量センサとしてのスイッチ装置の回路図である。
【図３】別の実施の形態に係る住宅設備の断面図である。
【図４】別の実施の形態に係る住宅設備の断面図である。
【図５】別の実施の形態を示す断面図である。
【図６】静電容量センサとしてのスイッチ装置のさらに別の回路図である。
【図７】別の実施の形態を示す断面図である。
【図８】別の実施の形態を示す斜視図である。
【図９】別の実施の形態を示す斜視図である。
【図１０】別の実施の形態を示す正面図と断面図である。
【図１１】参考例を示す断面図である。
【符号の説明】
【００５４】
１  板状基材
２ａ  導電性接着剤
３，３’  タイル
５  ミラー
６，２２  電極
４０  シャワーハンガ
５５  アルミサッシ
５６  電極
７１  ドア
７２  ヒンジ
７３  把手
７７  電極
８０  ペアガラス
８３  電極
【図１】
2006132196.tif 000003
【図２】
2006132196.tif 000004
【図３】
2006132196.tif 000005
【図４】
2006132196.tif 000006
【図５】
2006132196.tif 000007
【図６】
2006132196.tif 000008
【図７】
2006132196.tif 000009
【図８】
2006132196.tif 000010
【図９】
2006132196.tif 000011
【図１０】
2006132196.tif 000012
【図１１】
2006132196.tif 000013